(57)【特許請求の範囲】
【請求項１】
第１の筐体半分及び第２の筐体半分を有する筐体を備える端子配列であって、
導体を接続するための接続領域を有する少なくとも１つの電気端子が前記筐体上で実現されており、
前記接続領域は、カバーにより完全に覆われ、単一部品として実施され、
前記カバーは、前記電気端子に前記導体を挿入するための領域に開口、及び押しボタン式アクチュエータの領域に開口を有し、
前記カバーは、前記第１の筐体半分または前記第２の筐体半分に対して単一部品として実施される端子配列。
【請求項２】
前記接続領域は、前記第１の筐体半分または前記第２の筐体半分に接続されている請求項１に記載の端子配列。
【請求項３】
前記接続領域および前記カバーの少なくとも一方は、射出成形部品として実施される請求項１または２に記載の端子配列。
【発明の詳細な説明】
【技術分野】
【０００１】
本発明は、好ましくは支持レールの上に配置することができる端子配列に関する。
【背景技術】
【０００２】
この種の端子配列は、好ましくはディスク形状をしており、複数の端子配列を、連続的に支持レールに配置して１つのユニットを形成することができる。端子配列は、通常、第１の筐体半分および第２の筐体半分から組み立てることができる筐体を有する。導体を接続するための接続領域を有する複数の端子配列は、通常、筐体内で実現される。接続自体は、通常、接続領域内に配置されたバネ荷重端子（ｓｐｒｉｎｇ  ｌｏａｄｅｄ  ｔｅｒｍｉｎａｌ）もしくはネジ端子で行われる。通常、接続領域は、筐体が有する２つの筐体半分により形成されるので、導体を接続領域に挿入するとき、導体を導入するのに必要とされる接続領域に加えられる力によって、組み立てられた２つの導体半分が押し離されてしまう可能性がある。
【発明の概要】
【発明が解決しようとする課題】
【０００３】
したがって、本発明の目的は、接続領域に作用する力が増大しても、２つの筐体半分が押し離されない端子配列を提供することである。
【課題を解決するための手段】
【０００４】
課題は、本発明に従い、請求項１の特徴により解決される。本発明の有利な実施形態を、従属項に記載する。
【０００５】
本発明に係る端子配列は、第１の筐体半分及び第２の筐体半分を有する筐体を備え、少なくとも１つの電気端子が筐体上に実現されており、端子は、導電体を接続するための端子筐体を備え、本発明によると、接続領域は単一部品として実施される。
【０００６】
接続領域は、好ましくは、当該領域を通じで端子に導体を挿入することができるところの端子の領域である。本発明に係る端子配列は、接続領域が２つに分割されず、単一部品として実施されることが特徴であり、したがって、接続領域周辺の領域、特に、筐体半分が押し離されることが防止される。したがって、接続領域および端子配列は、全体として、安定性が向上し、導体を挿入するときに、筐体半分を押し離すことなく、より強い力を接続領域に加えることができる。
【０００７】
接続領域は、好ましくは、第１の筐体半分または第２の筐体半分に接続される。このようにすると、接続領域は、筐体半分の一方とともに形成することができ、接続領域を筐体上に正確に位置付けることが可能になる。
【０００８】
さらに、接続領域は、重なり合わさったカバーを有することが利点であり、カバーは、端子に導体を挿入するための領域に開口を有し、および／または、カバーは、押しボタン式アクチュエータの領域に開口を有する。接続領域自体をカバーのようなものとして形成することで、接続領域を単一部品として実施することができる。さらに、単一部品としての接続領域は、接続領域をさらに安定化するべく、上部に位置付けることができる追加的な部品として、カバーにより形成してよい。カバーによって、接続領域を完全に被覆してよい。これにより、接続領域を特に安定して形成することができるようになる。この場合、カバーは、端子に導体を挿入するための領域に開口を有し、および／または、バネ荷重要素が接続領域内に設けられている場合には、カバーは、押しボタン式アクチュエータの領域に開口を有する。
【０００９】
カバーは、好ましくは、第１の筐体半分または第２の筐体半分とともに単一部品として形成されている。このようにすると、カバーは、２つの筐体半分のうち一方とともに形成することができ、カバーを２つの筐体半分のうち一方に対して非常に正確に位置付けることが可能になる。接続領域自体をカバーのようなものとして形成しないが、カバーを単一部品としての接続領域の周辺に形成する場合には、カバーを、接続領域とともに単一部品として実施してもよい。
【００１０】
さらに、接続ユニットおよび／またはカバーは、好ましくは、射出成形部品として実施される。これにより、接続領域および／またはカバーの製造工程が促進され、接続ユニットおよび／またはカバーは、２つの筐体半分のうち一方とともに単一部品として射出成形することができるようになる。設けられる開口は、射出成形工程においてカバーに形成することができ、したがって、端子配列の製造工程が特に迅速かつ低廉になる。
【図面の簡単な説明】
【００１１】
以下に、添付の図面を参照して、好適な実施形態として、本発明をより詳細に記載する。
【図１】本発明に係る端子配列の概略図を示す。
【図２】図１に示す端子配列の、本発明に係る端子の概略図を示す。
【発明を実施するための形態】
【００１２】
図１は、第１の筐体半分１４および第２の筐体半分１６から形成される筐体１２を有する、本発明に係る端子配列１０を示しており、２つの筐体半分１４及び１６は、組み合わされて筐体１２を形成している。複数の電気端子１８が筐体１２上で実現されており、端子１８は、それぞれ、導体（不図示）を接続するための接続領域２０を有し、接続領域２０は単一部品として実施されているので、導体が挿入されたとき、筐体半分１４と１６とが押し離されることが防止される。接続領域２０は、２つの筐体半分１４及び１６のうち一方に接続することができ、接続領域２０は、好ましくは、２つの筐体半分１４及び１６のうち一方とともに単一部品として実施される。
【００１３】
ここに示す実施形態では、図２に見られるように、接続領域２０は、端子１８に導体を挿入するための領域と、端子１８内に配置されたバネ荷重要素（不図示）を作動させるための押しボタン式アクチュエータ２８を有する領域とを覆う被覆カバーのようなものとして形成されている。カバーにおいて、導体を挿入するための領域には開口２２が設けられており、導体を挿入して端子１８に接続することができる。開口２２は、カバーによって覆われており、導体を挿入するときに加えられる力が単一部品としての接続領域２０もしくは被覆カバーにより吸収されるので、力が２つの筐体半分１４および１６に伝わることを防止することができる。さらに、カバーは、内部に押しボタン式アクチュエータ２８が配置された第２の開口２６を有する。カバー及び／または接続領域２０は、好ましくは、射出成形により、２つの筐体半分１４及び１６のうち一方とともに１つの製造工程で形成することができる射出成形部品として実施される。図２は、図１の端子接続から分離された状態の、本発明にかかる端子１８を示しており、ジャンパ２４が内部に挿入された開口が端子１８の下に形成されている。
【００１４】
参照番号のリスト
端子配列                      １０
筐体                          １２
第１の筐体半分                １４
第２の筐体半分                １６
端子                          １８
接続領域                      ２０
開口                          ２２
ジャンパ                      ２４
開口                          ２６
押しボタン式アクチュエータ    ２８
【図１】
0005581540.tif 000002
【図２】
0005581540.tif 000003